(57)【要約】【課題】組立てが容易な２重像合致式の距離計を備えたファインダ装置を低コストで提供する。【解決手段】測距窓１９から入射する被写体光は、ドーベプリズム４０にて上下像が反転される。その後、光束は測距レンズ４１を透過して、Ｗ型反射プリズム４２に入射する。入射光は、このＷ型反射プリズム４２の内部で３回反射され、出射光は入射光と略平行で逆方向に出射する。その後、光束は測距マスク４３を通過してコンデンサレンズ４４を透過した後、反射ミラー４５で反射されて直角に偏向される。光束は、反射ミラー３８の開口３８ａを通過した後、ハーフプリズム３５にて反射されて、さらに直角に偏向され接眼レンズ３６に入射する。これにより、ファインダ視野内には、ファインダ像の中央部に正立正像の測距像が重なって見える。【選択図】        図２
2004258296.tif 000002
【特許請求の範囲】
【請求項１】
ファインダ対物窓から一定基線長隔てて設けられた測距窓を通して被写体光の少なくとも一部を取り込んで、ファインダ視野内に測距像を形成し、この測距像を撮影光学系の焦点調整に連動して前記ファインダ視野内で移動させ、ファインダ光学系によるファインダ像との相対位置により焦点調整の適否を表示する２重像合致式の距離計を備えたファインダ装置において、
前記距離計は、上下像を反転する第１ドーベプリズムと、左右像を反転する第２ドーベプリズムとの少なくとも一方を有することを特徴とするファインダ装置。
【請求項２】
ファインダ対物窓から一定基線長隔てて設けられた測距窓を通して被写体光の少なくとも一部を取り込んで、ファインダ視野内に測距像を形成し、この測距像を撮影光学系の焦点調整に連動して前記ファインダ視野内で移動させ、ファインダ光学系によるファインダ像との相対位置により焦点調整の適否を表示する２重像合致式の距離計を備えたファインダ装置において、
前記距離計は、左右像のみを反転する３回反射プリズムが少なくとも配置されていることを特徴とするファインダ装置。
【請求項３】
前記３回反射プリズムは、入射面と、出射面とが同一面であり、入射光と出射光とが略平行で逆方向に進むことを特徴とする請求項２記載のファインダ装置。
【発明の詳細な説明】
【０００１】
【発明の属する技術分野】
本発明は、ファインダ装置に関し、更に詳しくは、２重像合致式の距離計を備えたファインダ装置に関する。
【０００２】
【従来の技術】
撮影光学系とファインダ光学系がとが独立して設けられているカメラに使用され、焦点調整をファインダ視野内で行うファインダ装置として、２重像合致式のファインダ装置が知られている。このような２重像合致式のファインダ装置は、所定の基線長離れたファインダ対物窓と距離計窓とを備えており、これらの窓から取り込まれたファインダ像と測距像とをハーフプリズム等により合成して共通の接眼光学系に入射させる。撮影者は、この接眼光学系を介してこの２重像を観察する。距離計窓とハーフプリズムとの間には、測距像をファインダ像に対して左右に移動させるために、ミラーまたはレンズが回動自在に設けられており、これらを撮影光学系の焦点調整と連動して回動するように構成し、２重像が合致したときに撮影レンズの焦点調整が完了する。
【０００３】
前述のような２重像合致式のファインダ装置では、実像式の距離計を用いるものが知られている（例えば、特許文献１）。このような実像式の場合、測距光学系には、実像を結ぶための対物レンズと、正立正像にするためのダハプリズムと、その実像面に測距範囲を示す測距マスクが配置されている。この測距マスクに実像が結像される。このため、虚像式の距離計を用いた場合と比較して、測距範囲の輪郭がはっきりと見え、測距像もマスクの境界までクリアに見えるという利点がある。また、測距像がマスクの境界までクリアに見えるために上下像合致式の距離計とみなせ、副尺視力（２線識別能力）を用いることができるので、２点識別分解能が用いられる虚像式の距離計に比べて測距精度が高い。また、実像面には、測距マスクの外側に各種レンズ用の光像枠が置かれ、マスクとともに動かされてパララックスが補正される。
【０００４】
【特許文献１】
特開平１０−０２６７９２号公報
【０００５】
【発明が解決しようとする課題】
しかしながら、上記特許文献１に記載の２重像合致式ファインダでは、測距光学系のレンズによる倒立像を補正し、測距光学系の光路を偏向するために、ペンタダハプリズム等が用いられている。このようなプリズムのダハ面は加工に高精度を必要とするために、製造コストが高いという問題があった。また、１つのプリズムで光路の偏向と倒立像の補正を行うため、プリズムは複雑な面構成となっており、このプリズムをファインダ装置に組み込む際に、プリズムが傾くと測距系の像は上下に動きながら傾きを生じる。このため、位置精度及び調整精度をだすのが困難であり、ファインダ装置の組立てに時間と手間が掛るという問題があった。
【０００６】
本発明は、上記問題点を解決するためのもので、組立てが容易な２重像合致式の距離計を備えたファインダ装置を低コストで提供することを目的とする。
【０００７】
【課題を解決するための手段】
上記問題点を解決するために、本発明のファインダ装置は、ファインダ対物窓から一定基線長隔てて設けられた測距窓を通して被写体光の少なくとも一部を取り込んで、ファインダ視野内に測距像を形成し、この測距像を撮影光学系の焦点調整に連動してファインダ視野内で移動させ、ファインダ光学系によるファインダ像との相対位置により焦点調整の適否を表示する２重像合致式の距離計を備えたファインダ装置であり、距離計は、上下像を反転する第１ドーベプリズムと、左右像を反転する第２ドーベプリズムとの少なくとも一方を有することを特徴とするものである。
【０００８】
さらに、本発明のファインダ装置は、ファインダ対物窓から一定基線長隔てて設けられた測距窓を通して被写体光の少なくとも一部を取り込んで、ファインダ視野内に測距像を形成し、この測距像を撮影光学系の焦点調整に連動してファインダ視野内で移動させ、ファインダ光学系によるファインダ像との相対位置により焦点調整の適否を表示する２重像合致式の距離計を備えたファインダ装置であり、距離計は、左右像のみを反転する３回反射プリズムが少なくとも配置されていることを特徴とするものである。
【０００９】
また、前述の３回反射プリズムは、入射面と、出射面とが同一面であり、入射光と出射光とが略平行で逆方向に進むことを特徴とするものである。
【００１０】
【発明の実施の形態】
図１は、本発明のファインダ装置を備えたカメラの外観斜視図である。このカメラ１０の前面には、スクリュー式のレンズマウント１１を介して、撮影レンズユニット１２が着脱自在に装着される。撮影レンズユニット１２は、例えば５群７枚構成の広角レンズで、ピント調節リング１３や絞り調節リング１４が設けられている。また、レンズマウント１１の奥には、シャッタ１５が設けられている。
【００１１】
レンズマウント１１の上方には、本発明のファインダ装置が組み込まれており、ファインダ窓１７、フレーム採光窓１８、測距窓１９がカメラ１０の前面に露呈している。ファインダ窓１７と測距窓１９は、一定基線長を隔てて配置されている。また、カメラ１０の背面上方には、接眼窓（図示せず）が設けられている。
【００１２】
カメラ１０の上面には、視野枠切り替えレバー２１、アクセサリシュー２２、シャッタ速度調整ダイヤル２３、シャッタボタン２４、フイルム巻き取りレバー２５、巻戻しクランク２６等が配置されている。
【００１３】
図２及び図３は、本発明の第１の実施形態であるファインダ装置３０の斜視図及び平面図である。このファインダ装置３０は、レンジファインダであり、実像距離計式逆ガリレオ透視ファインダである。このファインダ装置３０は、ファインダ光学系３１と、視野枠形成部３２と、測距像形成部３３とで構成されている。ファインダ光学系３１は、前述のファインダ窓１７と、その背後に配置された対物レンズ３４、ハーフプリズム３５、接眼レンズ３６が順に配置されて構成されている。このファインダ光学系３１は、対物レンズ３４に凹レンズ、接眼レンズ３６に凸レンズが用いられた逆ガリレオ式光学系となっている。
【００１４】
視野枠形成部３２は、採光式のブライトフレームであり、採光窓１８と、その背後に配置された視野枠パネル３７と、中央部に矩形状の開口３８ａが設けられた反射ミラー３８とで構成されている。また、採光窓１８と視野枠パネル３７との間には、表示ＬＥＤ３９が設けられている。この表示ＬＥＤ３９は、視野枠パネル３７の下方に設けられた開口を通してファインダ視野内に適正露出の表示を行う。
【００１５】
視野枠形成部３２では、被写体側から採光窓１８を透過した光が、例えば白色の視野枠形成光となり、視野枠パネル３７に到達する。視野枠パネル３７には、略矩形状のスリット枠が大小複数組設けられている。前述した視野枠切り替えレバー２１を操作することにより、視野枠形成光が通過するスリット枠が切り替わる。スリット枠を通過した視野枠形成光は、反射ミラー３８にて反射され、視野枠形成光は、ハーフプリズム３５に入射する。この視野枠形成光は、ハーフプリズム３５にて再び反射されて、接眼レンズ３６に入射する。これにより、接眼レンズ３６を覗く撮影者には、撮影範囲を示す白色の視野枠がファインダ像と重なって見える。
【００１６】
前述した視野枠の切り替えは、撮影レンズユニットを交換した際に行われる。レンズマウントには、広角レンズの他に、望遠レンズ、標準レンズ等の交換レンズが装着可能であるが、視野切り替えレバー２１を操作することで、視野枠パネル３７でスリット枠の切り替えが行われ、各交換レンズの撮影範囲に対応した視野枠が表示される。例えば、望遠撮影時には、小さな視野枠が表示され、広角撮影時には大きな視野枠が表示される。
【００１７】
測距像形成部３３は、被写体光が入射する測距窓１９と、その背後に配置されたドーベプリズム（Ｄｏｖｅ  ｐｒｉｓｍ）４０と、測距レンズ４１と、Ｗ型反射プリズム４２と、測距マスク４３と、コンデンサレンズ４４と、反射ミラー４５とで構成されている。
【００１８】
ドーベプリズム４０は、上部を切り取った直角プリズムのような形状をしており、縦断面が台形である柱状のプリズムである。ドーベプリズムは、ある角度だけ光線を中心に回転すると、像はその角度の２倍回転するため、イメージローテーター（像回転器）として広く使用されており、一般的なプリズムである。このドーベプリズムは、平行光の中で用いなければならないという特徴を有しており、このドーベプリズムの斜面に平行光線が入射すると、内部で反射し、入射方向と略平行に出射する。
【００１９】
この時、プリズム内部で一回反射されるので、出射光は、入射光に対して上下または左右が反転された像となる。例えば、図２及び図３に示すように底面が下側となり、被写体光に対して平行となるように配置した場合には、測距窓１９から入射する被写体光は、ドーベプリズム４０により上下像が反転される。
【００２０】
測距レンズ４１は、ドーベプリズム４０の背後に配置されており、測距像を結像させるために設けられている。この測距レンズ４１の位置調整を行うことにより、∞位置および近距離位置でのファインダ像と測距像の合致を得ることができる。
【００２１】
この測距レンズ４１の背後には、Ｗ型反射プリズム４２が配置されている。このＷ型反射プリズム４２は、横断面が二等辺三角形である柱状のプリズムであり、二等辺三角形の底面４２ｃが入射面、第２反射面、および出射面を構成し、斜面４２ａが第１反射面を、斜面４２ｂが第３反射面をそれぞれ構成している。したがって、Ｗ型反射プリズム４２の入射面である底面４２ｃに入射した光は、第１反射面４２ａで反射され、第２反射面である底面４２ｃに入射する。第２反射面４２ｃで反射された光は、第３反射面４２ｂで反射され、出射面である底面４２ｃに入射する。これにより、Ｗ型反射プリズム４２に入射した光は、第１反射面４２ａ、第２反射面４２ｃおよび第３反射面４２ｂで順次３回反射された後、出射面４２ｃから入射方向とは略平行で逆方向に出射する。
【００２２】
Ｗ型反射プリズム４２の前方には、測距マスク４３が配置されている。この測距マスク４３は、測距像合焦位置に配置され、測距レンズ４１により実像が結像される。これにより、ファインダ像に対して明瞭な境界が得られる。また、この測距マスク４３の前方には、コンデンサレンズ４４が配置されている。
【００２３】
コンデンサレンズ４４の前方には、反射ミラー４５が配置されている。測距マスク４３を通過し、コンデンサレンズ４４を透過した光束は、この反射ミラー４５により反射されて光路が直角に曲げられる。その後、光束は反射ミラーの中央部に形成された小さい矩形状の開口３８ａを通過した後、凸レンズ４６，４７を経てハーフプリズム３５に達し、ハーフプリズム３５にて反射されて、光路が直角に曲げられて接眼レンズ３６に入射する。これにより、接眼レンズ３６を覗く撮影者には、測距像形成部３３からの被写体光がファインダ視野内で小さい矩形状の測距像として観察される。
【００２４】
また、この測距像形成部３３においては測距レンズ４１の結像により、測距像は倒立像となるが、ドーベプリズム４０にて、上下像が反転される。また、Ｗ型反射プリズム４２にて３回反射、反射ミラー４５で１回反射、ハーフプリズム３５で１回反射し、合計５回（奇数回）反射されるので左右像が反転される。これにより、ファインダ視野内の測距像は、正立正像となる。
【００２５】
ピント調節リング１３の後部には、ギア部材であるコロ４８と噛合うギア溝（図示せず）が設けられている。撮影レンズユニット１２をカメラ１０に装着し、ピント調節リング１３を操作すると、コロ４８が移動する。このコロ４８は、測距レンズ４１と連結されており、ピント調節リング１３の回動操作に連動して、測距レンズ４１が回動する。測距レンズ４１が回動すると、ファインダ視野内で左右方向に測距像が移動する。測距レンズ４１が対応する距離の角度位置にくると、移動する測距像がファインダ像に合致して測距が行われ、撮影レンズのピントが合う。
【００２６】
ピント調節リング１３の操作に連動して、測距レンズ４１が回動するように説明したが、ピント調節リング１３の操作に連動して、コンデンサレンズ４４またはＷ型反射プリズム４２が、回動するようにしても良い。この場合は、コンデンサレンズ４４またはＷ型反射プリズム４２の回動により、ファインダ視野内で左右方向に測距像が移動して、コンデンサレンズ４４またはＷ型反射プリズム４２が、対応する距離の角度位置にくると、移動する測距像がファインダ像に合致して測距が行われ、撮影レンズのピントが合う。
【００２７】
以上のように説明したファインダ装置３０の作用について説明を行う。撮影者は、シャッタ速度調節ダイヤル２３を操作し、シャッタ速度を設定する。その後、接眼窓（図示せず）を覗き、被写体を確認しながら構図を決定する。ファインダ視野内には、図４に示すように、白色の視野枠５１と、実線で示すファインダ像５２とが観察される。測距像５３は開口３８ａによる測距枠５４の内部に表示される。なお、ファインダ視野内では、表示ＬＥＤ３９の点灯が露出表示部５５に表示され、撮影者に適正露出が知らされる。撮影者は、これを目安にして絞り調節リング１４を操作する。
【００２８】
この時、被写体像のピントがずれていると、ファインダ視野内では、被写体のファインダ像５２と測距像５３とがずれて図４（ａ）で示すような２重像になる。ピント調節リング１３を操作すると、これに伴ってコロ４８が移動し、この移動に連動して測距レンズ４１が回動する。測距レンズ４１が回動すると、測距像５３は左右方向に移動するので、撮影者は、ファインダ像５２と測距像５３とが合致するように、ピント調節リング１３を操作する。
【００２９】
被写体像のピントが合うと、図４（ｂ）に示すように、ファインダ像５２と測距像５３とが重なり合う。これにより、接眼窓を覗く撮影者は撮影レンズのピントが合ったことを知ることができる。
【００３０】
その後、撮影者によりシャッタボタン２４が押圧操作されると、シャッタ１５が作動して撮影が行われる。この時、ファインダ装置３０によって撮影レンズのピントが合っているので鮮明な被写体画像が撮影される。
【００３１】
次に、本発明の第２の実施形態であるファインダ装置６０の説明を行う。図５はファインダ装置６０の平面図である。ファインダ光学系と視野枠形成部は、第１の実施形態のファインダ装置３０と同様の構成であるため、測距像形成部６１のみを図示している。この測距像形成部６１は、被写体光が入射する測距窓６２と、その背後に配置されたドーベプリズム６３と、測距レンズ６４と、反射ミラー６５と、測距マスク６６と、コンデンサレンズ６７と、ドーベプリズム６８とで構成されている。
【００３２】
ドーベプリズム６３は、その底面が下側になり、被写体光に対して、平行になるように配置されている。測距窓６２から入射した被写体光は、上下像が反転される。その後、ドーベプリズム６３の背後に配置されている測距レンズ６４を透過して、測距レンズ６４の背後に配置された反射ミラー６５により、光路が直角に偏向される。直角に偏向された光路上には、測距マスク６６、コンデンサレンズ６７、ドーベプリズム６８が順に配列されている。このドーベプリズム６８は、台形状の面である側面が下側となり、光路に対して平行になるように配置されている。
【００３３】
反射ミラー６５にて反射された光束は、測距マスク６６を通過し、コンデンサレンズ６７を透過した後にドーベプリズム６８に入射する。この時、測距像は、左右像が反転され、出射光は入射光に対して略平行になる。その後、光束は反射ミラー３８の矩形状の開口３８ａを通過して、第１の実施形態のファインダ装置３０と同様に、ハーフプリズム３５にて反射されて接眼レンズ３６に入射する。これにより、ファインダ像と測距像が撮影者によって接眼レンズ３６を介して観察される。
【００３４】
また、ピント調節リング１３の操作に連動して、測距レンズ６４が回動するように構成されており、測距レンズ６４が対応する距離の角度位置にくると、左右に移動する測距像がファインダ像に合致して測距が行われ、撮影レンズのピントが合う。
【００３５】
また、測距像形成部６１においては測距レンズ６４の結像により、測距像は倒立像となるが、ドーベプリズム６３にて、上下像が反転される。また、反射ミラー６５で１回反射、ドーベプリズム６８で１回反射、ハーフプリズム３５で１回反射し、合計３回（奇数回）反射されるので左右像が反転される。これにより、ファインダ視野内の測距像は、正立正像となる。また、この第２の実施形態のファインダ装置６０において、ドーベプリズム６３，６８の配置位置は、入れ替えても良い。このファインダ装置６０の作用は、第１の実施形態のファインダ装置３０と同様である。
【００３６】
次に、第３の実施形態のファインダ装置７０の説明を行う。図６はファインダ装置７０の平面図である。ファインダ光学系と視野枠形成部は、第１の実施形態のファインダ装置３０と同様の構成であるため、測距像形成部７１のみを図示している。この測距像形成部７１は、被写体光が入射する測距窓７２と、その後方に配置された測距レンズ７３と、ダハプリズム７４と、Ｗ型反射プリズム７５と、測距マスク７６と、コンデンサレンズ７７とで構成されている。
【００３７】
測距窓７２から入射した被写体光は、測距窓７２の後方に配置された測距レンズ７３を透過して、測距レンズ７３の背後に配置されたダハプリズム７４に入射する。このダハプリズム７４は、直角プリズムの斜面にダハ面を有する形状をしており、入射光は、ダハプリズム７４にて光路が直角に偏向される。この時、ダハプリズム７４のダハ面により上下像が反転される。直角に偏向された光路上にはＷ型反射プリズム７５が配置されており、光束は内部で３回反射され、出射光は入射光と略平行で反対方向となる。１８０°偏向された光路上には、測距マスク７６と測距レンズ７７とが順に配置されており、１８０°偏向された光束は、測距マスク７６を通過し、コンデンサレンズ７７を透過した後に反射ミラー３８の矩形状の開口３８ａを通過して、第１の実施形態のファインダ装置３０と同様に、ハーフプリズム３５にて反射されて接眼レンズ３６に入射する。
【００３８】
これにより、ファインダ像と測距像が撮影者によって接眼レンズ３６を介して観察される。また、ピント調節リング１３の操作に連動して、測距レンズ７３が回動するように構成されており、測距レンズ７３が対応する距離の角度位置にくると、左右に移動する測距像がファインダ像に合致して測距が行われ、撮影レンズのピントが合う。
【００３９】
測距像形成部７１においては測距レンズ７３の結像により、測距像は倒立像となるが、ダハプリズム７４にて、上下像が反転される。また、ダハプリズム７４で１回反射、Ｗ型反射プリズム７５で３回反射、ハーフプリズム３５で１回反射し、合計５回（奇数回）反射されるので左右像が反転される。これにより、ファインダ視野内の測距像は、正立正像となる。このファインダ装置７０の作用は、第１の実施形態のファインダ装置３０と同様である。
【００４０】
次に、第４の実施形態のファインダ装置８０の説明を行う。図７はファインダ装置８０の平面図である。ファインダ光学系と視野枠形成部は、第１の実施形態のファインダ装置３０と同様の構成であるため、測距像形成部８１のみを図示している。この測距像形成部８１は、被写体光が入射する測距窓８２と、その背後に配置されたドーベプリズム８３と、測距レンズ８４と、反射ミラー８５と、Ｗ型反射プリズム８６と、測距マスク８７と、コンデンサレンズ８８とで構成されている。
【００４１】
ドーベプリズム８３は、その底面が下側となり、被写体光に対して、平行になるように配置されている。測距窓８２から入射した被写体光は、上下像が反転される。その後、光束は、ドーベプリズム８３の後方に配置されている測距レンズ８４を透過して、測距レンズ８４の背後に配置された反射ミラー８５により、光路が直角に偏向される。直角に偏向された光路上には、Ｗ型反射プリズム８６が配置されており、ここで光束が１８０°偏向される。１８０°偏向された光路上には、測距マスク８７と、コンデンサレンズ８８とが順に配列されている。
【００４２】
Ｗ型反射プリズム８６から出射した光束は、測距マスク８７を通過し、コンデンサレンズ８８を透過した後に反射ミラー３８の矩形状の開口３８ａを通過して、第１の実施形態のファインダ装置３０と同様に、ハーフプリズム３５にて反射されて接眼レンズ３６に入射する。これにより、ファインダ像と測距像が撮影者によって接眼レンズ３６を介して観察される。また、ピント調節リング１３の操作に連動して、測距レンズ８４が回動するように構成されており、測距レンズ８４が対応する距離の角度位置にくると、左右に移動する測距像がファインダ像に合致して測距が行われ、撮影レンズのピントが合う。
【００４３】
測距像形成部８１においては測距レンズ８４の結像により、測距像は倒立像となるが、ドーベプリズム８３にて、上下像が反転される。また、反射ミラー８５でで１回反射、Ｗ型反射プリズム８６で３回反射、ハーフプリズム３５で１回反射し、合計５回（奇数回）反射されるので左右像が反転される。これにより、ファインダ視野内の測距像は、正立正像となる。このファインダ装置８０の作用は、第１の実施形態のファインダ装置３０と同様である。
【００４４】
また、本実施形態のファインダ装置３０，６０，７０，８０に用いたドーベプリズム４０，６３，６８，８３、Ｗ型反射プリズム４２，７５，８６、ダハプリズム７４は、ペンタダハプリズム等と比較して簡単な面構成であるので、加工精度をだすのが容易である。また、ファインダ装置に組み込む際にも、位置精度及び調整精度をだすのに有利である。
【００４５】
なお、本実施形態においては、本発明のファインダ装置をカメラに用いるように説明したが、これに限るものではなく、他の光学機器、例えばデジタルカメラに用いても良い。
【００４６】
【発明の効果】
以上説明したように、本発明のファインダ装置によれば、光路の偏向及び上下像反転用にペンタダハプリズム等を使用した場合と比較して、ドーベプリズムやＷ型反射プリズム等の単純な面構成のプリズムを使用するので、位置精度及び調整精度をだし易く、ファインダ装置の組立てが容易であり、組立て時間を短縮可能である。
【００４７】
また、ペンタダハプリズム等の高精度を必要とするプリズムを使用しなくて済むので、製造コストを低減できる。
【図面の簡単な説明】
【図１】本発明のファインダ装置を用いたカメラの外観斜視図である。
【図２】本発明の第１の実施形態のファインダ装置の斜視図である。
【図３】本発明の第１の実施形態のファインダ装置の平面図である。
【図４】ファインダ像と測距像を説明する図である。
【図５】本発明の第２の実施形態のファインダ装置の平面図である。
【図６】本発明の第３の実施形態のファインダ装置の平面図である。
【図７】本発明の第４の実施形態のファインダ装置の平面図である。
【符号の説明】
１０  カメラ
１２  撮影レンズユニット
１３  ピント調節リング
１９  測距窓
３０，６０，７０，８０  ファインダ装置
３１  ファインダ光学系
３２  視野枠形成部
３３，６１，７１，８１  測距像形成部
３８，４５，６５，８５  反射ミラー
３８ａ  開口
４０，６３，６８，８３  ドーベプリズム
４１，６４，７３，８４  測距レンズ
４２，７５，８６  Ｗ型反射プリズム
４３，６６，７６，８７  測距マスク
４４，６７，７７，８８  コンデンサレンズ
７４  ダハプリズム
【図１】
2004258296.tif 000003
【図２】
2004258296.tif 000004
【図３】
2004258296.tif 000005
【図４】
2004258296.tif 000006
【図５】
2004258296.tif 000007
【図６】
2004258296.tif 000008
【図７】
2004258296.tif 000009